【手続補正書】
【提出日】平成24年10月11日(2012.10.11)
【手続補正１】
【補正対象書類名】特許請求の範囲
【補正対象項目名】全文
【補正方法】変更
【補正の内容】
【特許請求の範囲】
【請求項１】
第１のフェーズ、第２のフェーズ、第３のフェーズ、および、中立線を有し、ロードに供給される３つのフェーズの交流電力を条件づけるためのシステムであって、
前記システムは、
２つのフェーズおよび前記中立線の間の定格値を超える電圧量を最小限にするために構成された複数の第１のサージ防止装置、
２つのフェーズおよび前記中立線の間の前記定格値を超える電圧量を最小限にするために構成された複数の第２のサージ防止装置、
２つのフェーズおよび前記中立線の間の前記定格値を超える電圧量を最小限にするために構成された複数の第３のサージ防止装置、および、
２つのフェーズの間の前記定格値を下回る電圧量を最小限にするために構成され、前記第１のフェーズおよび前記第２のフェーズに接続される第１のコンデンサ、前記第２のフェーズおよび前記第３のフェーズに接続される第２のコンデンサ、および、前記第１のフェーズおよび前記第３のフェーズに接続される第３のコンデンサを有する複数のコンデンサ、
で構成され、
各第１のサージ防止装置は、前記第１のフェーズ、前記第２のフェーズ、および、前記中立線に接続され、
各第２のサージ防止装置は、前記第２のフェーズ、前記第３のフェーズ、および、前記中立線に接続され、
各第３のサージ防止装置は、前記第１のフェーズ、前記第３のフェーズ、および、前記中立線に接続されることを特徴とするシステム。
【請求項２】
前記第１のサージ防止装置は、それぞれ、第１の定格電流を有し、
前記第２のサージ防止装置は、それぞれ、第２の定格電流を有し、
前記第３のサージ防止装置は、それぞれ、第３の定格電流を有し、
前記第１のサージ防止装置の数は、前記第１の定格電流によって分割される前記ロードの電流条件に関連し、
前記第２のサージ防止装置の数は、前記第２の定格電流によって分割される前記ロードの電流条件に関連し、
さらに、前記第３のサージ防止装置の数は、前記第３の定格電流によって分割される前記ロードの電流条件に関連する請求項１に記載のシステム。
【請求項３】
前記第１のサージ防止装置は、前記第１のフェーズまたは前記第２のフェーズのいずれかが前記定格値を超える際に、前記中立線に対して低インピーダンスを提示し、
前記第２のサージ防止装置は、前記第２のフェーズまたは前記第３のフェーズのいずれかが前記定格値を超える際に、前記中立線に対して低インピーダンスを提示し、さらに、
前記第３のサージ防止装置は、前記第３のフェーズまたは前記第１のフェーズのいずれかが前記定格値を超える際に、前記中立線に対して低インピーダンスを提示する請求項１または２に記載のシステム。
【請求項４】
さらに、３つのフェーズおよび前記中立線の間の前記定格値を超える電圧量を最小限にするために構成された３つのフェーズのサージ遮断装置で構成され、
前記３つのフェーズのサージ遮断装置は、前記第１のフェーズ、前記第２のフェーズ、前記第３のフェーズ、および、前記中立線に接続され、
前記３つのフェーズのサージ遮断装置は、前記第１のフェーズ、前記第２のフェーズ、または、前記第３のフェーズのいずれかが前記定格値を超える際に、前記中立線に対して低インピーダンスを提示する請求項１〜３のいずれかに記載のシステム。
【請求項５】
前記第１のサージ防止装置、前記第２のサージ防止装置、前記第３のサージ防止装置、および、前記３つのフェーズのサージ遮断装置は、受動型である請求項４に記載のシステム。
【請求項６】
第１のフェーズ、第２のフェーズ、第３のフェーズ、および中立線を有し、ロードに供給される３つのフェーズの交流電力を条件づけるシステムであって、
前記システムは、
前記第１のフェーズ、前記第２のフェーズ、および、前記中立線に接続され、かつ、前記第１のフェーズまたは前記第２のフェーズのいずれかが定格値を超える際に、前記中立線に対して低インピーダンスを提示することによって、２つのフェーズおよび前記中立線の間の前記定格値を超える電圧量を最小限にするように構成される複数の第１のサージ防止装置、
前記第２のフェーズ、前記第３のフェーズ、および、前記中立線に接続され、かつ、前記第２のフェーズまたは前記第３のフェーズのいずれかが定格値を超える際に、前記中立線に対して低インピーダンスを提示することによって、２つのフェーズおよび前記中立線の間の前記定格値を超える電圧量を最小限にするように構成される複数の第２のサージ防止装置、
前記第１のフェーズ、前記第３のフェーズ、および、前記中立線に接続され、かつ、前記第３のフェーズまたは前記第１のフェーズのいずれかが定格値を超える際に、前記中立線に対して低インピーダンスを提示することによって、２つのフェーズおよび前記中立線の間の前記定格値を超える電圧量を最小限にするように構成される複数の第３のサージ防止装置、および、
２つのフェーズ間の前記定格値を下回る電圧量を最小限にするように構成され、かつ、前記第１のフェーズおよび前記第２のフェーズに接続される第１のコンデンサ、前記第２のフェーズおよび前記第３のフェーズに接続される第２のコンデンサ、および、前記第１のフェーズおよび前記第３のフェーズに接続される第３のコンデンサを有する複数のコンデンサ、
で構成されることを特徴とするシステム。
【請求項７】
前記第１のサージ防止装置は、それぞれ、第１の定格電流を有し、
前記第２のサージ防止装置は、それぞれ、第２の定格電流を有し、
前記第３のサージ防止装置は、それぞれ、第３の定格電流を有し、
前記第１のサージ防止装置の数は、前記第１の定格電流によって分割される前記ロードの電流条件に関連し、
前記第２のサージ防止装置の数は、前記第２の定格電流によって分割される前記ロードの電流条件に関連し、
前記第３のサージ防止装置の数は、前記第３の定格電流によって分割される前記ロードの電流条件に関連する請求項６に記載のシステム。
【請求項８】
さらに、前記第１のフェーズ、前記第２のフェーズ、前記第３のフェーズ、および、前記中立線に接続され、かつ、前記第１のフェーズ、前記第２のフェーズ、または、前記第３のフェーズのいずれかが、定格値を超える際に、中立線に対して低インピーダンスを提示することによって、前記３つのフェーズおよび前記中立線の間の前記定格値を超える電圧量を最小限にするように構成される３つのフェーズのサージ遮断装置で構成される請求項６または７に記載のシステム。
【請求項９】
前記第１のサージ防止装置、前記第２のサージ防止装置、前記第３のサージ防止装置、および、前記３つのフェーズのサージ遮断装置は、受動型である請求項８に記載のシステム。
【請求項１０】
第１のフェーズ、第２のフェーズ、および、中立線を有し、ロードに供給されるシングルフェーズの交流電力を条件づけるためのシステムであって、
前記システムは、
前記第１のフェーズ、前記第２のフェーズ、および、前記中立線に接続され、かつ、前記第１のフェーズおよび前記第２のフェーズの間の電圧が定格値を超える際に、前記中立線に対して低インピーダンスを提示することによって、前記第１のフェーズおよび前記第２のフェーズの間の前記定格値を超える電圧量を最小限にするように構成される複数の第１のサージ防止装置、および、
前記第１のフェーズおよび前記第２のフェーズに接続され、かつ、前記第１のフェーズおよび前記第２のフェーズの間の前記定格値を下回る電圧量を最小限にするように構成されるコンデンサ、
で構成されることを特徴とするシステム。
【請求項１１】
前記第１のサージ防止装置は、それぞれ、定格電流を有し、
前記第１のサージ防止装置の数は、前記定格電流によって分割される前記ロードの電流条件に関連する請求項１０に記載のシステム。
【請求項１２】
さらに、前記第１のフェーズ、前記第２のフェーズ、および、前記中立線に接続され、かつ、前記第１のフェーズまたは前記第２のフェーズのいずれかが定格値を超える際に、前記中立線に対して低インピーダンスを提示することによって、前記２つのフェーズおよび中立線の間の定格値を超える前記電圧量を最小限にするように構成されるシングルフェーズのサージ遮断装置で構成される請求項１０または１１に記載のシステム。
【請求項１３】
前記第１のサージ防止装置および前記シングルフェーズのサージ遮断装置は、受動型である請求項１２に記載のシステム。